【事件の表示】
　特許第３４２７０６３号「座標ウェイポイントでメッセージにアクセスして記録するシステム及び方法」の請求項１ないし３９に係る特許に対する特許異議の申立てについて、次のとおり決定する。
【結　論】
　訂正を認める。
　特許第３４２７０６３号の請求項１ないし３９に係る特許を維持する。
【理　由】
１．手続きの経緯
　本件特許第３４２７０６３号の各請求項に係る各発明は、平成１３年７月１３日に特許出願（パリ条約による優先権主張２０００年１２月６日、米国）され、平成１５年５月９日にその特許権の設定登録がなされ、その後、特許異議申立がなされ、取消理由通知がなされ、その指定期間内である平成１６年１０月５日に訂正請求がなされたものである。
２．訂正の適否について
（訂正の要旨）
　上記訂正は、特許請求の範囲を次のとおりとするものである（下線部は訂正箇所）。
「【特許請求の範囲】
　【請求項１】　座標ウェイポイントでメッセージを残したり、メッセージにアクセスするシステムであって、
　商業移動体無線サービスプロバイダのネットワークと、
　前記商業移動体無線サービスプロバイダのネットワークに対する複数の加入者装置と、
　各々が一意の識別番号を有した前記複数の加入者装置に固有の、前記ネットワークとの双方向通信を容易にする、少なくとも１つのユーザインタフェースと、
　前記商業無線サービスプロバイダのネットワークに接続された分散データ管理サーバと、
　前記ネットワーク及び前記サーバが、前記ネットワークによって定義された有効区域内の前記複数の加入者装置の緯経度位置をほぼリアルタイムに知ることができるようにするソフトウェアを実行するハードウェアとを有し、
　前記インタフェースと前記加入者装置は、
　該装置自身の即時的な緯経度座標位置を捕捉する動作と、
　前記ネットワーク内で、特定の緯経度位置に関連したメッセージを残す動作と、
　前記ネットワーク内で、少なくとも特定の緯経度位置に前記加入者装置が物理的に近接しているために、前記特定の緯経度位置でポストされたメッセージにアクセスする動作と、
　前記捕捉することやメッセージを残すことやメッセージにアクセスすることが混合した動作とから構成されるグループから選択される動作を可能するように適合されており、
　特定の緯経度位置に関連したメッセージを残すことには、明瞭な受信者を要求するのではなく、ユーザに少なくとも前記メッセージに関連した位置を指定するように要求する
とともに、前記ユーザに前記サーバから前記指定された位置に関連したユニークなメッセージコードを受信し、その後前記サーバに前記ユニークなメッセージコードに関連づけられたメッセージを送信することを要求することである
　【請求項２】　前記インタフェースは、音声制御、物理的制御、仮想制御、グラフィカルユーザインタフェース、及びそれらの組み合わせから成るグループから選択された制御手段に応答することを特徴とする請求項１に記載のシステム。
　【請求項３】　ワールドワイドウェブサーバが、前記商業無線サービスプロバイダのネットワークの一部であり、且つ、前記分散データ管理サーバと通信することを特徴とする請求項１に記載のシステム。
　【請求項４】　前記ウェブサーバと通信できるようにされた複数の加入者パーソナルコンピュータを備えたことを特徴とする請求項３に記載のシステム。
　【請求項５】　前記メッセージは、複数のメッセージの種類に分類できることを特徴とする請求項１に記載のシステム。
　【請求項６】　前記インタフェースは、前記種類の１つに分類されるメッセージを含むか又は除外するかを選択できるようにされたことを特徴とする請求項５に記載のシステム。
　【請求項７】　前記メッセージが前記ネットワーク上に存在する時間の長さが、デフォルト期間、前記ネットワークによって決定された期間、及びユーザが選択した期間から成るグループから選ばれることを特徴とする請求項１に記載のシステム。
　【請求項８】　前記ハードウェア及びソフトウェアは、複数信号の三角測量、複数信号の信号強度、異なる信号の着信時刻の差、異なる信号の着信角の差、ＧＰＳ信号、及びそれらの組み合わせから成るグループから選択された方法に基づく位置測定アルゴリズムを実行することを特徴とする請求項１に記載のシステム
　【請求項９】　前記商業移動体無線サービスプロバイダのネットワークは、グリッドポイントの二次元グリッドに分割され、前記データベースは、加入者装置の物理的位置を前記グリッドポイントの１つと関係付けることを特徴とする請求項１に記載のシステム。
　【請求項１０】　前記ハードウェア及びソフトウェアは、前記ネットワークに存在することを特徴とする請求項１に記載のシステム。
　【請求項１１】　前記ハードウェア及びソフトウェアは、加入者装置に存在することを特徴とする請求項１に記載のシステム。
　【請求項１２】　前記インタフェースは、親和性のあるグループを作成し、それを管理し、前記親和性のあるグループと通信できるようにされたことを特徴とする請求項１に記載のシステム。
　【請求項１３】　前記インタフェースは、内容が物理的な座標位置に特有の動的情報を受信できるようにされたことを特徴とする請求項１に記載のシステム。
　【請求項１４】　座標ウェイポイントでメッセージを残したり、メッセージにアクセスするシステムであって、
　商業移動体無線サービスプロバイダのネットワークと、
　各々が一意の識別番号を有し、前記ネットワーク上で起動され、前記ネットワークとの双方向通信を容易にする複数の加入者装置と、
　ユーザが、明瞭な受信者をもつことが要求されるのではなく、
前記ユーザの特定位置を記録し、前記ユーザの特定位置に関連したユニークなメッセージコードを受信し、その後
前記ユーザ
前記ユニークなメッセージコードに関連づけられた
　前記商業無線サービスプロバイダのネットワークに接続され、前記一意の識別番号と加入者メンバに属するアカウントとを互いに関係付ける分散データ管理サーバと、
　前記ネットワーク及び前記サーバが、前記ネットワークによって定義された有効区域内の前記複数の加入者装置の緯経度位置をほぼリアルタイムに知ることができるようにするソフトウェアを実行するハードウェアとを有し、
　前記インタフェースは、少なくともユーザと前記ユーザの加入者装置が特定の緯経度位置に物理的に近接しているために、前記ネットワーク内の前記特定の緯経度位置でポストされたメッセージを前記ユーザが受信できるように適合されていることを特徴とするシステム。
　【請求項１５】　前記加入者装置は、手持ち型の携帯可能な双方向通信装置であることを特徴とする請求項１４に記載のシステム。
　【請求項１６】　前記加入者装置は、車載型双方向通信装置、パーソナル通信装置、移動用携帯電話、通信対応のコンピューティング装置、及び移動用インターネット機器から成るグループから選択されることを特徴とする請求項１４に記載のシステム。
　【請求項１７】　前記商業移動体無線サービスのネットワークは、ＣＤＭＡ、ＴＤＭＡ、ＦＤＭＡ、ワイドバンドＣＤＭＡ、及びその他のデジタル又はアナログ通信プロトコルから成るグループから選択されたプロトコルを使用して通信することを特徴とする請求項１４に記載のシステム。
　【請求項１８】　前記インタフェースは、加入者が前記メッセージを閲覧可能な加入者を指定できるようにしたことを特徴とする請求項１４に記載のシステム。
　【請求項１９】　前記メッセージは、異なる部類のメッセージに分類することできることを特徴とする請求項１４に記載のシステム。 
  【請求項２０】　前記メッセージは、加入者自身が見たいメッセージの種類を前記加入者が指定できるようにしたことを特徴とする請求項１９に記載のシステム。
　【請求項２１】　前記メッセージは、閲覧されることになるメッセージの種類に関する加入者の選好に基づいて閲覧されることを特徴とする請求項１９に記載のシステム。
　【請求項２２】　ネットワーク加入者装置の前記位置を測定するための前記ハードウェアは、前記加入者装置に一体化されていることを特徴とする請求項１４に記載のシステム。
　【請求項２３】　ネットワーク加入者装置の前記位置を測定するための前記ハードウェアは、前記商業移動体無線サービスのネットワークに設けられていることを特徴とする請求項１４に記載のシステム。
　【請求項２４】　前記インタフェースは、グラフィカルユーザインタフェースであることを特徴とする請求項１４に記載のシステム。
　【請求項２５】　前記インタフェースは、物理的ユーザインタフェースであることを特徴とする請求項１４に記載のシステム。
　【請求項２６】　前記インタフェースは、グラフィカルユーザインタフェースと物理的ユーザインタフェースの組み合わせであることを特徴とする請求項１４に記載のシステム。
　【請求項２７】　前記インタフェースは、少なくとも部分的に音声指令に応答することを特徴とする請求項１４に記載のシステム。
　【請求項２８】　前記インタフェースは、音声出力、音響出力、テキスト出力、グラフィック出力、及びそれらの組み合わせを実行できるようにされたことを特徴とする請求項１４に記載のシステム。
　【請求項２９】　前記ハードウェアは、座標位置を出力する、三角測量アルゴリズムを備えた三角測量ハードウェアであることを特徴とする請求項１４に記載のシステム。
　【請求項３０】　前記ハードウェアは、座標位置を出力する、信号強度アルゴリズムを備えた信号強度測定ハードウェアであることを特徴とする請求項１４に記載のシステム。
　【請求項３１】　前記ハードウェアは、座標位置を出力する、着信時刻の差を測定するハードウェアであることを特徴とする請求項１４に記載のシステム。
　【請求項３２】　前記ハードウェアは、座標位置を出力する、着信角を測定するハードウェアであることを特徴とする請求項１４に記載のシステム。
　【請求項３３】　前記ハードウェアは、ＧＰＳハードウェアであることを特徴とする請求項１４に記載のシステム。
　【請求項３４】　前記ハードウェアは、ＧＰＳハードウェアとネットワーク信号演算ハードウェアとの組み合わせであることを特徴とする請求項１４に記載のシステム。
　【請求項３５】　前記ハードウェアは、アルゴリズムを実行するデジタル信号プロセッサを備えたこと特徴とする、請求項２９、３０、３１又は３２に記載のシステム。
　【請求項３６】　座標ウェイポイントでメッセージを残したり、メッセージにアクセスする方法であって、
　商業移動体無線サービスプロバイダのネットワークにおいて、信号発生ポイント決定ハードウェアと、前記ネットワーク上で起動される複数の無線加入者通信装置と、前記複数の無線加入者通信装置各々からの一意なビーコン信号とを使用し、前記ネットワーク内のユーザの位置を特定する工程と、
　分散動的データ管理サーバを前記ネットワークに取り付ける工程と、
　前記一意のビーコン信号に関連して前記データ管理サーバに好みのリストを格納する工程と、
　前記メッセージがアクセス可能になる前記ネットワーク内で特定の位置に関連してメッセージを前記サーバに送信する工程と、
　特定の位置に関連し、かつ任意には前記メッセージを閲覧することが認められた加入者に関する情報と協同しあうメッセージを前記サーバに格納する工程と、
　前記ビーコン信号と前記ハードウェアとを使用して、前記ネットワーク内の加入者通信装置の位置を監視する工程と、
　少なくとも前記好みと前記監視とに基づいて、前記加入者通信装置に前記メッセージを利用可能にする工程とを有
し、
前記特定の位置が前記メッセージの送信に先立って送信され、ユニークなメッセージコードが前記サーバから返信され、前記メッセージは前記メッセージコードに関連付けされる
　【請求項３７】　
資産の維持管理のために、
　商業移動体無線サービスネットワークと、
　特定の資産に関する情報をダウンロードして表示できるようにされた複数の加入者通信装置と、
　前記ネットワークと通信し、前記資産の物理的な位置に関連した前記資産に関する情報とともに前記情報を閲覧可能な人に関する情報を格納する分散動的データ管理サーバと、
　前記ネットワークに前記複数の加入者通信装置の存在を信号で知らせる前記複数加入者通信装置に固有の信号発信機能と、
　前記複数の加入者通信装置、前記ネットワーク、及び前記サーバと通信し、前記複数の加入者通信装置の位置を判断し、特定の資産の1つに近接した境界内に装置が入ってくるときに、前記複数の加入者通信装置に前記特定の資産についての情報を送信するハードウェアとを有し、
　前記複数の加入者通信装置はさらに、特定の資産についての情報をアップロードするために動作して、前記アップロードされた情報が前記資産に関する格納された
履歴
され、前記資産についての完全な履歴を用意
　【請求項３８】　座標ウェイポイントでメッセージを格納したり、メッセージにアクセスするシステムであって、前記システムは、
　無線通信ネットワークと、
　前記ネットワーク上で動作する複数の加入者通信装置と、
　前記加入者通信装置に表示されるメッセージのタイプを規定した前記加入者通信装置各々に特有の好みのセットと、
　ユーザが
前記ネットワークにおいて
前記ネットワークから前記記録された位置に関連したユニークなメッセージコードを受信し、その後、
前記ユニークなメッセージコードに関連づけられた
　前記メッセージは、前記加入者通信装置の少なくとも前記好みに基づいて、前記位置において、前記位置へと入ってくる何らかの加入者装置上で閲覧可能なものとして残されることを特徴とするシステム。
　【請求項３９】　座標ウェイポイントでメッセージを格納したり、メッセージにアクセスするシステムであって、前記システムは、
　無線通信ネットワークと、
　各々が表示されるメッセージのタイプを規定した好みと一意の割当てられた識別番号とを備えた、前記ネットワーク上で動作する複数の加入者通信装置と、
　割当て番号をもった送信者が
前記ネットワークの有効範囲内の
前記ネットワークに前記送信者のエリア位置を送信し、前記ネットワークから前記エリア位置に関連したユニークなメッセージコードを受信し、前記ユニークなメッセージコードに関連づけられた
　前記メッセージは、前記エリア位置において、前記エリア位置へと入ってき、そして、メモリに格納された前記送信者に一意の識別番号を有している何らかの加入者通信装置上で閲覧可能であることを特徴とするシステム。」
（訂正の適否）
　上記訂正は、特許請求の範囲の減縮、誤記の訂正に該当し、また、特許請求の範囲を拡張、変更するものでも、新規事項を追加するものでもない。
（まとめ）
　よって、上記訂正は適法にされたものであるから、当該訂正を認める。
３．特許異議の申立てについて
（本件発明）
　本件特許第３４２７０６３号の請求項１乃至３９に係る各発明は、訂正明細書の特許請求の範囲の請求項１乃至３９に記載されたとおりのものである（上記２．の（訂正の要旨）を参照されたい。）。
（特許異議の申立ての理由）
　 特許異議申立人前野　洋は、証拠として甲第１号証（特開平１０−１３９６１号公報)、甲第２号証（特開平１１−５５７２６号公報）、甲第３号証（特開２０００−２２２１６７号公報）、甲第４号証（特開平６−９６３９０号公報）、甲第５号証（特開２００１−４３８５号公報）、甲第６号証（特開平１１−３３８７５６号公報）、甲第７号証（特開平１１−２３２１２６号公報）、甲第８号証（特開平５−１５７８２５号公報）、甲第９号証（特開平７−３８９５１号公報）、甲第１０号証（特開平６−３４２８号公報）、甲第１１号証（特開平９−２４７７３０号公報）、甲第１２号証（特開平１０−２１３６４４号公報）、甲第１３号証（特開平１１−６５４３４号公報）を提出し、本件請求項１乃至３９に係る各発明は、特許法第２９条第１項第３号ないし同法第２９条第２項の規定に違反して特許されたものであるから、取り消すべき旨主張している。
（対比・検討）
  以下、検討する。
　本件請求項１に係る発明は、「前記サーバから前記指定された位置に関連したユニークなメッセージコードを受信し、その後前記サーバに前記ユニークなメッセージコードに関連づけられたメッセージを送信する」点を一つの特徴としているところ、甲第１号証乃至甲第１３号証には、その特徴についての記載がない。
　そして、請求項１に係る発明の上記特徴が本件出願前周知であったとする証拠とも見あたらない。
　したがって、その余の点を検討するまでもなく、請求項１に係る発明が甲第１号証記載の発明と同一であるとも、甲第１号証乃至甲第１３号証記載の発明に基づいて当業者が容易に発明をすることができたものとすることはできない。
　本件請求項１４に係る発明は、「前記ユーザの特定位置を記録し、前記ユーザの特定位置に関連したユニークなメッセージコードを受信し、その後前記ネットワーク内の前記ユーザの特定の緯経度位置に関連した前記ユニークなメッセージコードに関連づけられたメッセージを残すことができるようにする前記複数の加入者装置に固有のインタフェース」を備えることを一つの特徴としているところ、甲第１号証乃至甲第１３号証には、その特徴についての記載がない。
　そして、請求項１４に係る発明の上記特徴が本件出願前周知であったとする証拠とも見あたらない。
　したがって、その余の点を検討するまでもなく、請求項１４に係る発明が甲第１号証記載の発明と同一であるとも、甲第１号証乃至甲第１３号証記載の発明に基づいて当業者が容易に発明をすることができたものとすることはできない。
　本件請求項３６に係る発明は、「前記特定の位置が前記メッセージの送信に先立って送信され、ユニークなメッセージコードが前記サーバから返信され、前記メッセージは前記メッセージコードに関連付けされる」点を一つの特徴としているところ、甲第１号証乃至甲第１３号証には、その特徴についての記載がない。
　そして、請求項３６に係る発明の上記特徴が本件出願前周知であったとする証拠とも見あたらない。
　したがって、その余の点を検討するまでもなく、請求項３６に係る発明が甲第１号証乃至甲第１３号証記載の発明に基づいて当業者が容易に発明をすることができたとすることはできない。
　本件請求項３７に係る発明は、「特定の資産についての情報をアップロードするために動作して、前記アップロードされた情報が前記資産に関する格納された履歴情報に付加されて、前記資産について後で送信される情報に含まれるようにされ、前記資産についての完全な履歴を用意する」点を一つの特徴としているところ、甲第１号証乃至甲第１３号証には、その特徴についての記載がない。
　そして、請求項３７係る発明の上記特徴が本件出願前周知であったとする証拠とも見あたらない。
　したがって、その余の点を検討するまでもなく、請求項３７に係る発明が甲第１号証記載の発明と同一であるとも、甲第１号証乃至甲第１３号証記載の発明に基づいて当業者が容易に発明をすることができたものとすることはできない。
　本件請求項３８に係る発明は、「前記ネットワークから前記記録された位置に関連したユニークなメッセージコードを受信し、その後、前記緯経度位置に前記ユニークなメッセージコードに関連づけられたメッセージを送信し」とする点を一つの特徴としているところ、甲第１号証乃至甲第１３号証には、その特徴についての記載がない。
　そして、請求項３８に係る発明の上記特徴が本件出願前周知であったとする証拠とも見あたらない。
　したがって、その余の点を検討するまでもなく、請求項３８に係る発明が甲第１号証乃至甲第１３号証記載の発明に基づいて当業者が容易に発明をすることができたとすることはできない。
　本件請求項３９に係る発明は、「割当て番号をもった送信者が前記ネットワークの有効範囲内のエリア位置で前記ネットワークに前記送信者のエリア位置を送信し、前記ネットワークから前記エリア位置に関連したユニークなメッセージコードを受信し、前記ユニークなメッセージコードに関連づけられたメッセージを残すことができるように適合された前記加入者通信装置上のインタフェース」を備えることを一つの特徴としているところ、甲第１号証乃至甲第１３号証には、その特徴についての記載がない。
　そして、請求項３９に係る発明の上記特徴が本件出願前周知であったとする証拠とも見あたらない。
　したがって、その余の点を検討するまでもなく、請求項３９に係る発明が甲第１号証記載の発明と同一であるとも、甲第１号証乃至甲第１３号証記載の発明に基づいて当業者が容易に発明をすることができたものとすることはできない。
　また、請求項２乃至１３は請求項１を引用し、請求項１５乃至請求項３５は請求項１４を直接あるいは間接的に引用しているから、請求項１に係る発明及び請求項１４に係る発明に関して述べたと同じ理由で、請求項２乃至１３、請求項１５乃至３５に係る各発明が甲第１号証記載の発明と同一であるとも、甲第１号証乃至甲第１３号証記載の発明に基づいて当業者が容易に発明をすることができたものとすることはできない。
（まとめ）
　以上のとおりであるから、本件の請求項１乃至３９に係る各発明の特許は、特許法第２９条第１項第３号あるいは同法第２９条第２項の規定に違反してなされたものであるとすることはできない。
　また、他に本件の請求項１乃至３９に係る各発明の特許を取り消すべき理由も発見しない。
　
　よって、結論のとおり決定する。
【異議決定日】
平成１７年２月１５日（２００５．２．１５）
【訂正の要旨】
審決（決定）の【理由】欄参照。
（５４）【発明の名称】
座標ウェイポイントでメッセージにアクセスして記録するシステム及び方法
（５７）【特許請求の範囲】
　【請求項１】　座標ウェイポイントでメッセージを残したり、メッセージにアクセスするシステムであって、
　商業移動体無線サービスプロバイダのネットワークと、
　前記商業移動体無線サービスプロバイダのネットワークに対する複数の加入者装置と、
　各々が一意の識別番号を有した前記複数の加入者装置に固有の、前記ネットワークとの双方向通信を容易にする、少なくとも１つのユーザインタフェースと、
　前記商業無線サービスプロバイダのネットワークに接続された分散データ管理サーバと、
　前記ネットワーク及び前記サーバが、前記ネットワークによって定義された有効区域内の前記複数の加入者装置の緯経度位置をほぼリアルタイムに知ることができるようにするソフトウェアを実行するハードウェアとを有し、
　前記インタフェースと前記加入者装置は、
　該装置自身の即時的な緯経度座標位置を捕捉する動作と、
　前記ネットワーク内で、特定の緯経度位置に関連したメッセージを残す動作と、
　前記ネットワーク内で、少なくとも特定の緯経度位置に前記加入者装置が物理的に近接しているために、前記特定の緯経度位置でポストされたメッセージにアクセスする動作と、
　前記捕捉することやメッセージを残すことやメッセージにアクセスすることが混合した動作とから構成されるグループから選択される動作を可能するように適合されており、
　特定の緯経度位置に関連したメッセージを残すことには、明瞭な受信者を要求するのではなく、ユーザに少なくとも前記メッセージに関連した位置を指定するように要求する
とともに、前記ユーザに前記サーバから前記指定された位置に関連したユニークなメッセージコードを受信し、その後前記サーバに前記ユニークなメッセージコードに関連づけられたメッセージを送信することを要求することである
　【請求項２】　前記インタフェースは、音声制御、物理的制御、仮想制御、グラフィカルユーザインタフェース、及びそれらの組み合わせから成るグループから選択された制御手段に応答することを特徴とする請求項１に記載のシステム。
　【請求項３】　ワールドワイドウェブサーバが、前記商業無線サービスプロバイダのネットワークの一部であり、且つ、前記分散データ管理サーバと通信することを特徴とする請求項１に記載のシステム。
　【請求項４】　前記ウェブサーバと通信できるようにされた複数の加入者パーソナルコンピュータを備えたことを特徴とする請求項３に記載のシステム。
　【請求項５】　前記メッセージは、複数のメッセージの種類に分類できることを特徴とする請求項１に記載のシステム。
　【請求項６】　前記インタフェースは、前記種類の１つに分類されるメッセージを含むか又は除外するかを選択できるようにされたことを特徴とする請求項５に記載のシステム。
　【請求項７】　前記メッセージが前記ネットワーク上に存在する時間の長さが、デフォルト期間、前記ネットワークによって決定された期間、及びユーザが選択した期間から成るグループから選ばれることを特徴とする請求項１に記載のシステム。
　【請求項８】　前記ハードウェア及びソフトウェアは、複数信号の三角測量、複数信号の信号強度、異なる信号の着信時刻の差、異なる信号の着信角の差、ＧＰＳ信号、及びそれらの組み合わせから成るグループから選択された方法に基づく位置測定アルゴリズムを実行することを特徴とする請求項１に記載のシステム。
　【請求項９】　前記商業移動体無線サービスプロバイダのネットワークは、グリッドポイントの二次元グリッドに分割され、前記データベースは、加入者装置の物理的位置を前記グリッドポイントの１つと関係付けることを特徴とする請求項１に記載のシステム。
　【請求項１０】　前記ハードウェア及びソフトウェアは、前記ネットワークに存在することを特徴とする請求項１に記載のシステム。
　【請求項１１】　前記ハードウェア及びソフトウェアは、加入者装置に存在することを特徴とする請求項１に記載のシステム。
　【請求項１２】　前記インタフェースは、親和性のあるグループを作成し、それを管理し、前記親和性のあるグループと通信できるようにされたことを特徴とする請求項１に記載のシステム。
　【請求項１３】　前記インタフェースは、内容が物理的な座標位置に特有の動的情報を受信できるようにされたことを特徴とする請求項１に記載のシステム。
　【請求項１４】　座標ウェイポイントでメッセージを残したり、メッセージにアクセスするシステムであって、
　商業移動体無線サービスプロバイダのネットワークと、
　各々が一意の識別番号を有し、前記ネットワーク上で起動され、前記ネットワークとの双方向通信を容易にする複数の加入者装置と、
　ユーザが、明瞭な受信者をもつことが要求されるのではなく、
前記ユーザの特定位置を記録し、前記ユーザの特定位置に関連したユニークなメッセージコードを受信し、その後
前記ユーザの
前記ユニークなメッセージコードに関連づけられた
　前記商業無線サービスプロバイダのネットワークに接続され、前記一意の識別番号と加入者メンバに属するアカウントとを互いに関係付ける分散データ管理サーバと、
　前記ネットワーク及び前記サーバが、前記ネットワークによって定義された有効区域内の前記複数の加入者装置の緯経度位置をほぼリアルタイムに知ることができるようにするソフトウェアを実行するハードウェアとを有し、
　前記インタフェースは、少なくともユーザと前記ユーザの加入者装置が特定の緯経度位置に物理的に近接しているために、前記ネットワーク内の前記特定の緯経度位置でポストされたメッセージを前記ユーザが受信できるように適合されていることを特徴とするシステム。
　【請求項１５】　前記加入者装置は、手持ち型の携帯可能な双方向通信装置であることを特徴とする請求項１４に記載のシステム。
　【請求項１６】　前記加入者装置は、車載型双方向通信装置、パーソナル通信装置、移動用携帯電話、通信対応のコンピューティング装置、及び移動用インターネット機器から成るグループから選択されることを特徴とする請求項１４に記載のシステム。
　【請求項１７】　前記商業移動体無線サービスのネットワークは、ＣＤＭＡ、ＴＤＭＡ、ＦＤＭＡ、ワイドバンドＣＤＭＡ、及びその他のデジタル又はアナログ通信プロトコルから成るグループから選択されたプロトコルを使用して通信することを特徴とする請求項１４に記載のシステム。
　【請求項１８】　前記インタフェースは、加入者が前記メッセージを閲覧可能な加入者を指定できるようにしたことを特徴とする請求項１４に記載のシステム。
　【請求項１９】　前記メッセージは、異なる部類のメッセージに分類することできることを特徴とする請求項１４に記載のシステム。
　【請求項２０】　前記メッセージは、加入者自身が見たいメッセージの種類を前記加入者が指定できるようにしたことを特徴とする請求項１９に記載のシステム。
　【請求項２１】　前記メッセージは、閲覧されることになるメッセージの種類に関する加入者の選好に基づいて閲覧されることを特徴とする請求項１９に記載のシステム。
　【請求項２２】　ネットワーク加入者装置の前記位置を測定するための前記ハードウェアは、前記加入者装置に一体化されていることを特徴とする請求項１４に記載のシステム。
　【請求項２３】　ネットワーク加入者装置の前記位置を測定するための前記ハードウェアは、前記商業移動体無線サービスのネットワークに設けられていることを特徴とする請求項１４に記載のシステム。
　【請求項２４】　前記インタフェースは、グラフィカルユーザインタフェースであることを特徴とする請求項１４に記載のシステム。
　【請求項２５】　前記インタフェースは、物理的ユーザインタフェースであることを特徴とする請求項１４に記載のシステム。
　【請求項２６】　前記インタフェースは、グラフィカルユーザインタフェースと物理的ユーザインタフェースの組み合わせであることを特徴とする請求項１４に記載のシステム。
　【請求項２７】　前記インタフェースは、少なくとも部分的に音声指令に応答することを特徴とする請求項１４に記載のシステム。
　【請求項２８】　前記インタフェースは、音声出力、音響出力、テキスト出力、グラフィック出力、及びそれらの組み合わせを実行できるようにされたことを特徴とする請求項１４に記載のシステム。
　【請求項２９】　前記ハードウェアは、座標位置を出力する、三角測量アルゴリズムを備えた三角測量ハードウェアであることを特徴とする請求項１４に記載のシステム。
　【請求項３０】　前記ハードウェアは、座標位置を出力する、信号強度アルゴリズムを備えた信号強度測定ハードウェアであることを特徴とする請求項１４に記載のシステム。
　【請求項３１】　前記ハードウェアは、座標位置を出力する、着信時刻の差を測定するハードウェアであることを特徴とする請求項１４に記載のシステム。
　【請求項３２】　前記ハードウェアは、座標位置を出力する、着信角を測定するハードウェアであることを特徴とする請求項１４に記載のシステム。
　【請求項３３】　前記ハードウェアは、ＧＰＳハードウェアであることを特徴とする請求項１４に記載のシステム。
　【請求項３４】　前記ハードウェアは、ＧＰＳハードウェアとネットワーク信号演算ハードウェアとの組み合わせであることを特徴とする請求項１４に記載のシステム。
　【請求項３５】　前記ハードウェアは、アルゴリズムを実行するデジタル信号プロセッサを備えたこと特徴とする、請求項２９、３０、３１又は３２に記載のシステム。
　【請求項３６】　座標ウェイポイントでメッセージを残したり、メッセージにアクセスする方法であって、
　商業移動体無線サービスプロバイダのネットワークにおいて、信号発生ポイント決定ハードウェアと、前記ネットワーク上で起動される複数の無線加入者通信装置と、前記複数の無線加入者通信装置各々からの一意なビーコン信号とを使用し、前記ネットワーク内のユーザの位置を特定する工程と、
　分散動的データ管理サーバを前記ネットワークに取り付ける工程と、
　前記一意のビーコン信号に関連して前記データ管理サーバに好みのリストを格納する工程と、
　前記メッセージがアクセス可能になる前記ネットワーク内で特定の位置に関連してメッセージを前記サーバに送信する工程と、
　特定の位置に関連し、かつ任意には前記メッセージを閲覧することが認められた加入者に関する情報と協同しあうメッセージを前記サーバに格納する工程と、
　前記ビーコン信号と前記ハードウェアとを使用して、前記ネットワーク内の加入者通信装置の位置を監視する工程と、
　少なくとも前記好みと前記監視とに基づいて、前記加入者通信装置に前記メッセージを利用可能にする工程とを有
し、
　
前記特定の位置が前記メッセージの送信に先立って送信され、ユニークなメッセージコードが前記サーバから返信され、前記メッセージは前記メッセージコードに関連付けされる
　【請求項３７】　
資産の維持管理のために、
　商業移動体無線サービスネットワークと、
　特定の資産に関する情報をダウンロードして表示できるようにされた複数の加入者通信装置と、
　前記ネットワークと通信し、前記資産の物理的な位置に関連した前記資産に関する情報とともに前記情報を閲覧可能な人に関する情報を格納する分散動的データ管理サーバと、
　前記ネットワークに前記複数の加入者通信装置の存在を信号で知らせる前記複数加入者通信装置に固有の信号発信機能と、
　前記複数の加入者通信装置、前記ネットワーク、及び前記サーバと通信し、前記複数の加入者通信装置の位置を判断し、特定の資産の１つに近接した境界内に装置が入ってくるときに、前記複数の加入者通信装置に前記特定の資産についての情報を送信するハードウェアとを有し、
　前記複数の加入者通信装置はさらに、特定の資産についての情報をアップロードするために動作して、前記アップロードされた情報が前記資産に関する格納された
履歴
され、前記資産についての完全な履歴を用意
　【請求項３８】　座標ウェイポイントでメッセージを格納したり、メッセージにアクセスするシステムであって、前記システムは、
　無線通信ネットワークと、
　前記ネットワーク上で動作する複数の加入者通信装置と、
　前記加入者通信装置に表示されるメッセージのタイプを規定した前記加入者通信装置各々に特有の好みのセットと、
　ユーザが
前記ネットワークにおいて
前記ネットワークから前記記録された位置に関連したユニークなメッセージコードを受信し、その後、
前記ユニークなメッセージコードに関連づけられた
　前記メッセージは、前記加入者通信装置の少なくとも前記好みに基づいて、前記位置において、前記位置へと入ってくる何らかの加入者装置上で閲覧可能なものとして残されることを特徴とするシステム。
　【請求項３９】　座標ウェイポイントでメッセージを格納したり、メッセージにアクセスするシステムであって、前記システムは、
　無線通信ネットワークと、
　各々が表示されるメッセージのタイプを規定した好みと一意の割当てられた識別番号とを備えた、前記ネットワーク上で動作する複数の加入者通信装置と、
　割当て番号をもった送信者が
前記ネットワークの有効範囲内の
前記ネットワークに前記送信者のエリア位置を送信し、前記ネットワークから前記エリア位置に関連したユニークなメッセージコードを受信し、前記ユニークなメッセージコードに関連づけられた
　前記メッセージは、前記エリア位置において、前記エリア位置へと入ってき、そして、メモリに格納された前記送信者に一意の識別番号を有している何らかの加入者通信装置上で閲覧可能であることを特徴とするシステム。
【発明の詳細な説明】
　【０００１】
　【発明の属する技術分野】
　本発明は、本質的には、物理的な座標ウェイポイントにおいてメッセージにアクセスしたりメッセージを残したりするためのシステム及び方法である。手持型、ユーザ支持型又は車載型の無線コンピューティング及び／又は通信装置を使用して、ユーザは、無線ネットワーク加入者装置の物理的座標位置によって利用可能となるメッセージを残すか又はそのようなメッセージにアクセスすることができる。
　【０００２】
　【従来の技術】
　社会が進化し科学技術との融合が進展するにつれ、無線情報に対する要望も絶えず増大している。移動用電話、無線呼び出し装置、パーソナル通信装置、身体装着型コンピュータ、手持型や車載型のＧＰＳ装置、及び無線携帯情報端末（ＰＤＡ）は、現在では一般的なものとなりつつある。これら装置は、ユーザの移動中に個々のユーザ向けの内容や特定情報を提供する。特に便利なものとして、ある人の特定時点での物理的位置をその人に伝える位置発見システム用装置がある。全地球位置発見システム（以下、「ＧＰＳ」という）によって、我々は、地球上のどの地点でも、数メートル以内の精度で自分の位置を特定することができる。このシステムの基盤は、時刻を表す同期信号を発信したりする１７の低軌道衛星から成るＮＡＶＳＴＡＲ衛星群である。本来は武器の位置指定・誘導システムにおける軍事用に限定されていたこのシステムも、現在は一般の商業的用途に利用可能である。個人的にも、僅か数百ドルの手持型装置を持って散策したり車を運転したりしながら、行き先を正確に知り、座標ウェイポイントを記録し、地図で自分の位置を見て、移動した経路を記録することができる。これは、高級車の標準装備品となっており、運転者や乗員は、リアルタイム又はほぼリアルタイムで道路地図に重ね合わされた自分達の位置を見ることができる。上記装置は、３つの衛星からの三角点の信号情報を読み取ることにより動作し正確な位置を求める。時刻同期信号の着信時刻の差によって、装置はその位置を算出することができる。ＧＰＳに関する問題は、個別の受信機がそれぞれ衛星の信号を受信する必要があり、更に、信号自体が非常に弱い点にある。従って、樹木、トンネル、歩道橋等の頭上を覆うものによって、受信器がこの信号を受信できなくなる可能性がある。
　【０００３】
　また、セルラーネットワークや無線ネットワークも、この種の位置情報を加入者に伝達することができる。三角測量、信号強度測定、入射角測定、ＧＰＳ補助のセルラー方式、及びこれらの手法の組み合わせによって、セルラーネットワークは、妥当な精度内で運転者の位置を特定することができる。特に、数多くのセルラー塔が近接して配置される人口密集地域では、１０メートル以内の精度で、セルラー方式携帯電話のユーザ位置を求めることが可能である。
　【０００４】
　１９９８年、米国連邦通信委員会（以下、ＦＣＣという）は、商業移動体無線サービス（以下、ＣＭＲ　Ｓという）プロバイダに関する規則の中で、緊急通報９１１つまりＥ９１１サービスを円滑に行うために、プロバイダが各々のネットワークをアップグレードするよう義務付けし、呼び出しを妥当なオペレータに接続して発呼者の電話番号を伝達するだけでなく、呼び出しの発生地点についての位置情報も伝達することを各プロバイダに要請した。委員会は、９１１公共安全応答ポイント（ＰＳＡＰ）が迅速に９１１発呼者の位置を確認できるようにする重要情報を提供するための無線技術及び伝送機器の強化を図るという無線業界と米国各州・地域の９１１担当官との間の合意に基づき、Ｅ９１１規則を採択した。回線電話と同様に、無線電話も９１１発呼者の位置についての重要情報を自動的に送信できるようにするために無線Ｅ９１１サービスが設立された。ＣＭＲ　Ｓプロバイダは、フェーズＩを１９９８年４月１日に開始するようにした２つのフェーズで、増補された位置情報の送信を達成するよう要求された。従って、Ｅ９１１規則では、現在、フェーズＩにおいて、発呼者の自動番号識別（ＡＮＩ）及び９１１呼び出しを受信するセルサイト即ち基地局の位置を、１９９８年４月１日より、指定された９１１ＰＳＡＰに各通信事業者が送信するように規定されている。これら機能によって、ＰＡＳＰ係員は、９１１呼び出しの接続が切れた場合には折り返し電話をしたり、一般的な位置情報を提供して緊急時要員の迅速な派遣を支援したりすることができる。
　【０００５】
　フェーズＩＩでは、受話器ベース及びネットワークベースの技術に対する段階的導入計画に従って、２００１年１０月１日より、各通信事業者が、発呼者のより正確な自動位置情報（ＡＬＩ）を送信するようになっている。フェーズＩＩに関する特定要件は、対象となる通信事業者によって、根二乗平均（ＲＭＳ）方法論を用いて全事例の６７パーセントにおいて半径僅か１２５ｍ内の緯度及び経度でも、指定ＰＳＡＰに対して通話者の位置が示されるよう規定している。通信事業者のフェーズＩ又はフェーズＩＩのいずれかを実施する義務に関する現行規則の２つの前提条件とは、（１）通信事業者が、データを受信し使用する能力のあるＰＳＡＰからこのようなサービスの要請を受けていること、及び、（２）サービスコストを回収するためのメカニズムが設置されていること、ということである。ＣＭＲ　ＳプロバイダにとってのフェーズＩＩの解決策は、ネットワーク又は受話器に由来する可能性がある。しかしながら、フェーズＩＩ展開に際して、通信事業者が受話器ベースの解決策を選択した場合、通信事業者は、ＰＳＡＰ関係の前提条件に関係なく、２００１年３月１日までにフェーズＩＩ対応の受話器の販売及び稼働を開始する必要がある。１９９９年１１月に、ＦＣＣは、通信事業者がＥ９１１サービスの提供義務を負う以前に、コスト回収のメカニズムが設定されていることという要件を変更するためにコスト回収規則を修正した。ＦＣＣは、ＰＳＡＰコスト回収のために公式メカニズムを設定するという要件には賛同したが、通信事業者のＥ９１１コストがメカニズムによって補填されるという全ての前提条件は、Ｅ９１１実施の障害として排除した。
　【０００６】
　Ｅ９１１の実施が成功すれば、９１１が世界共通の番号として確立され、無線電話のユーザは、自分のホームネットワーク内にいるかどうかにかかわらず、９１１とダイヤルするだけでよいことになる。これには、緊急時要員を発呼者の場所に派遣できるように、無線プロバイダが、呼び出しと同時に９１１オペレータにユーザに関する位置情報を送信する必要がある。このサービスを行うために自社ネットワークをアップグレードするには、相当な費用を無線プロバイダが負担することになり、９１１オペレータを雇用し呼び出し受信ハードウェアを維持管理する地方自治体についても同じことが言える。これが、無線サービスプロバイダによって議論されている点である。無線サービスプロバイダは、このサービスによる出費がかさみ利潤が減り収益増が見込めないので、所定のコスト回収メカニズムなしにＥ９１１サービスを提供せよという指令に従うことを渋っている。無線プロバイダにとって、Ｅ９１１サービスを提供するために必要とされるインフラへの投資回収を行うメカニズムを持つことは望ましいことであろう。このようなメカニズムは、ＦＣＣフェーズＩＩ指令に従うことをＣＭＲ　Ｓプロバイダにとってより魅力的なものとし、更に、位置を明確にした情報を含む商業サービスを拡大することにより、ＣＭＲ　Ｓプロバイダの収益性を高める方法を創出することができる。
　【０００７】
　現在、ネットワーク駆動型の携帯電話の位置を求める３種類の技術がある。これらは、概して、ネットワークを利用したネットワーク型、受話器を利用した受話器型、又はそれらを組み合わせたハイブリッド型に分類される。ネットワーク型技術の対応策は、通常、着信時刻（ＴＯＡ）、着信時差（ＴＤＯＡ）、及び、着信角に基づく振幅差（ＡＤ−ＡＯＡ）と呼ばれる各システムの組み合わせによって行われる。ＴＤＯＡでは、３つの異なる基地局に着信する携帯電話からの信号間の時差が測定され、その携帯電話の位置が算出される。ＡＤ−ＡＯＡでは、２つの異なる基地局に着信する信号の角度を計算して再度位置を求める。そして、これら２つの技術の組み合わせによって約１００メートルの精度が得られる。現在、全ての方法は実験段階にあり、全ＣＭＲ　Ｓネットワークに対して機能する統一された標準はまだ確立されていない。
　【０００８】
　受話器型技術の解決策に関しては、依然としてＧＰＳが重要な解決策とされており、短期的には最も有望な解決策である。この技術は確立された技術であり、最近、信号劣化の問題を解決することにより、小型ＧＰＳ受信器で１０メートルレベルの精度を得ることができる。ＧＰＳ装置に依存する受話器型技術の解決策では、チップやソフトウェアを受話器に増設して、この受話器が、ＧＰＳシステムの基盤となる衛星を追跡できるようにする必要がある。精度及び建物内での有効範囲を向上させるために、ＧＰＳシステムは、ネットワークの二次的信号を用いる。
　【０００９】
　３番目の、ハイブリッド型技術は、観察時差つまりＯＴＤを用い、少なくとも３つの異なる基地局からの信号の着信時刻についての、受話器からアップロードした測定値に基づいて受話器及びネットワークサーバの双方で実行される。
　【００１０】
　最近、フェーズＩＩＥ９１１サービスの提供に関連する費用から商品価値を抜き出すことが可能な経費回収メカニズムについて検討されている。これらのメカニズムは、コストを埋め合わせるために、無線加入者に対し、位置を明確にしたマーケッティング情報を提供することを基盤としている。
Ｉｎｔｅｒｎｅｔ　Ｗｅｅｋ
　【００１１】
　コスト回収策に関する検討の他の例としては、
Ｔｅｃｈｎｏｌｏｇｙ　Ｒｅｖｉｅｗ
　【００１２】
　このように、実施に関連するコストは相当な額であり、Ｅ９１１サービスをサポートするように各ＣＭＲ　Ｓプロバイダの無線ネットワークをアップグレードするためのＣＭＲ　Ｓプロバイダ用経費回収メカニズムに対するニーズは、現在も明確に存在する。このメカニズムは、ＦＣＣ規則に従うこと加速し、無線顧客に対する効果的なＥ９１１サービスの実施を支援するものとなる。
　【００１３】
　【発明が解決しようとする課題】
　従って、本発明の目的は、上記した問題のない、ＣＭＲ　Ｓプロバイダ用の経費回収メカニズムを提供することにある。
　【００１４】
　本発明の他の目的は、フェーズＩＩＥ９１１サービスの提供に関するＦＣＣ要件対応の関連コストの少なくとも一部を回収するための、ＣＭＲ　Ｓプロバイダ用の経費回収メカニズムオを提供することにある。
　【００１５】
　また、本発明の目的は、特定の緯度及び経度の座標位置又はウェイポイントにおいて、無線ネットワーク上で情報にアクセスする通信システムを提供することにある。
　【００１６】
　本発明の他の目的は、座標ウェイポイントにおいて、書き込まれた情報を自動的に又は手動で検索するシステムを提供することにある。
　【００１７】
　本発明の他の目的は、特定の座標ウェイポイントにおいて又は特定の座標ウェイポイントを中心として、メッセージを残すシステムを提供することにある。
　【００１８】
　本発明の他の目的は、人があるポイントを中心とする区域に入った時に、該区域内又は該区域の近くに位置する企業体に関連する商業的情報が入手可能となるように、移動時に該商業的情報を受信するためのシステムを提供することにある。
　【００１９】
　本発明の他の目的は、特定の座標ウェイポイントにおいて、他の人達に対し個人向けメッセージを残し、該他の人達が座標ウェイポイントの近くにいる時に、該個人向けメッセージが、該他の人達によってアクセス可能となるシステムを提供することにある。
　【００２０】
　本発明の他の目的は、ネットワーク加入者装置の特定座標位置と密接な関係がある商業移動体無線サービスプロバイダのネットワークに、動的情報を入力させる又はそれを取り出すシステムを提供することにある。
　【００２１】
　本発明の他の目的は、技術者又は検査員が、一つの設備又はハードウェア設置サイトの物理的位置に近づくと、該サイトに関する情報を検索するシステムを提供することにある。
　【００２２】
　本発明の他の目的は、所定の半径内で、ある人の位置を他の人達に知らせるシステムを提供することにある。
　【００２３】
　本発明の他の目的は、特定の座標位置又は資産位置にメッセージを遠方から書き込むシステムを提供することがである。
　【００２４】
　【課題を解決するための手段】
　本発明の上記目的及びその他目的は、概して、座標ウェイポイントにおいて、メッセージを残し且つメッセージを検索するシステム及び方法によって達成される。
　【００２５】
　本発明の好適な実施形態において、本発明は、特定の座標ウェイポイント又は特定の座標ウェイポイントを中心とした区域において、メッセージにアクセスし検索するシステムを提供する。本発明は、ネットワーク加入者が、特定の位置において、商業的メッセージ、個人的メッセージ、及び通知メッセージを検索することができるようにし、更に、加入者装置を使用して、特定の位置おいて、個人向けメッセージを残すことができるようにする。それに加え、本発明は、加入者にＥ９１１サービスとともに上記サービスを行うことによって、Ｅ９１１フェーズＩＩにおける座標機能を強化するための自社ネットワークのアップグレードに関連するコストを回収するＣＭＲ　Ｓプロバイダ用コスト回収メカニズムを提供する。本明細書及び特許請求の範囲において、「加入者装置又はユーザ装置」という用語には、移動用携帯電話装置、車で使用する通信装置、パーソナル通信装置、通信対応の身体装着型コンピュータ、携帯情報端末（ＰＤＡ）、携帯型コンピュータ、インターネット機器、又は、商業無線ネットワークと通信できるようにされたその他の移動用の通信装置及びコンピューティング装置が含まれる。身体装着型コンピュータとは、Ｘｙｂｅｒｎａｕｔ社に譲渡された米国特許第５，８４４，８２４号に開示され、Ｍｏｂｉｌｅ　Ａｓｓｉｓｔａｎｔという商品名で商業化に成功を収めたようなコンピュータ、及び無線通信が可能なその他の身体装着型又はユーザ支持型コンピューティング装置をいう。
　【００２６】
　三角測量或いは１つ又はそれ以上の他の提案手法を使用することにより、ネットワークは、装置のユーザの相対的な位置を特定し、該ユーザの選好を調べて、選択的に、該ユーザが、適切なメッセージを見ることができるようにする。本明細書及び特許請求の範囲において、「三角測量」という用語は、位置を求めるために、個別の場所から入信する又は個別の場所に発信される３つ又はそれ以上の信号の位置を算出するアルゴリズム的手法を意味し、着信時刻の差、相対強度の差又は、着信角の差を利用する。ユーザが緯度座標及び経度座標を中心とするある区域に入ると、もしユーザ選好が入手可能な特定形式のメッセージの受信に同意するというものである場合には、メッセージは自動的に受信される。更に、特定の位置を記録し、その位置にメッセージ、ファイル、又はその他の情報を添付して、この情報を自分自身及び他人が利用可能とすることができる。好適な実施形態において、本装置は、メッセージを残し検索するための少なくとも１つのユーザインタフェース、及び、随意的に、メッセージを残す又は検索するために各々１つのインタフェースを備える。本インタフェースは、本装置の画面、ソフトウェア、音声駆動の制御装置、音声出力装置、押しボタン、仮想キーボード、及びそれら組み合わせを備える。その代わりに又は組み合わせにおいて、パーソナルコンピュータを利用して特定の位置にメッセージをアップロードすることができる。
　【００２７】
　好適な実施形態の１つの置換例においては、ユーザは、ネットワーク上で通信する手持型装置を携行する。本装置は、移動用携帯電話、通信対応のＰＤＡ、パーソナル通信装置、手持型インターネット機器、又は、ＣＭＲ　Ｓネットワーク上で通信することができるその他の携帯用コンピューティング装置とすることができる。ユーザは、これらの装置を使用して、ネットワークと対話して、特定の物理的座標位置でメッセージにアクセスし記録する。これらの装置の記憶、表示及び音声機能は、現状の手持型通信装置が電話を掛けたり、情報をアップロード及びダウンロードしたりするのに使用される方法と類似の方法で、メッセージを記憶、ダウンロード、アップロード、及び再生するのに使用される。本装置は、ＣＭＲ　Ｓネットワークがその装置を特定するための、電話番号等の一意の識別番号を所有する。
　【００２８】
　本発明の好適な実施形態の他の置換例では、加入者は、無線電話のように機能し、Ｓｐｒｉｎｔ（登録商標）ＰＣＳネットワーク等の無線ネットワーク内で駆動される装置を、自分の車の中に載せている又はそれに取り付けている。加入者装置は、ＣＤＭＡ、Ｗｉｄｅ　Ｂａｎｄ　ＣＤＭＡ、ＴＤＭＡ、ＦＤＭＡ、又は、無線ネットワーク内で通信するための公知又はこれまで未開発の通信プロトコルを使用して、標準的な移動用携帯電話として作動する。本装置は、自動車のダッシュボードに組み込むことができる一体型又は取り付け型の表示画面を有する。この画面は、グラフィカルメッセージ内容を表示するために使用され、随意的に、ネットワークとのインタフェースとして使用される。既存の通信装置のように、本装置は、電話番号等の一意のコードを有し、そのコードによってネットワーク内で本装置を他の装置と識別し区別する。
　【００２９】
　すべての実施形態において、加入者装置の一意コードによって、ネットワークは加入者装置を一義的に特定することができる。ユーザ加入者装置又はネットワークのいずれかが、受信可能な異なる形式のメッセージに対する選好を記憶する。可能なメッセージの形式としては、個人的メッセージ、歴史的メッセージ（例えば、目前の区域に関する歴史的情報を伝える路傍の掲示）、通知メッセージ（例えば、交通量メッセージ、事故情報、迂回ルート情報）、商業的メッセージ（例えば、ユーザの位置の近くにある地元企業の広告）、動的メッセージ、及び方向に関するメッセージ等を挙げることができる。
　【００３０】
　個人的メッセージに関しては、ネットワークの加入者に、特定座標位置において、特定のメッセージを残すという選択肢を与えることができる。これは、加入者装置を使用することによって簡単に行うことができる。その加入者は、特定の位置においてボタンを押すだけで、この装置に物理的な位置が記憶される。次に、加入者が「メッセージ記録」ボタンを押すことによって、加入者装置にメッセージを吹き込むことができる。このメッセージは、該特定位置から加入者の家までの道順又はその他の個人的メッセージとすることも可能である。次に、このメッセージはネットワークにアップロードされ、ネットワーク上で、他のネットワーク加入者も該メッセージを入手可能となる。テキストや音声メッセージをシステム上に残すことができるばかりでなく、画像スチール、動画、添付ファイル、及び画像と音声との組み合わせを含むビデオメッセージを残すこともできることに留意されたい。メッセージを作成する人は、メッセージを入手したり利用したりできるのを、加入者全員、加入者装置のメモリに記憶した人達のみ、或いは、メモリに記憶した人達の下位集合又は１人だけにするのかを指定できる。また、メッセージ作成者は、デフォルト期間を除外して、メッセージを利用可能な期間を指定して、メッセージが永久に残されてネットワークの記憶スペースを一杯にしたりユーザ装置が悲鳴を上げたりする状態にしないようにすることができる。これによって、加入者は、ほとんどどこにでも「仮想のメモ」又は「仮想の落書き」を残すことができる。メッセージは、自分向けに自分で残した覚え書又はビデオクリップ又はオーディオクリップとすることもができる。
　【００３１】
　他の実施形態においては、本システムは、動的で、ほぼリアルタイムに近いメッセージとするように使用することができる。例えば、ある人がバス停や列車停車駅に入ると、自動的に又はユーザによる起動のいずれかによって、その人の装置が、次のバス又は列車の到着時刻を知らせるメッセージを受信する。メッセージは、「バス１２Ｂは約１０分で到着します。」という内容になるであろう。この情報によって、受信者は、近くの店に行って何かを購入したい場合、又はそのままバスを待った方が良い場合に、時間を計算したり過ごし方を考えたりすることができる。これを行うには、バスにも本装置を装備して、バスの位置をモニターすることができるようにする必要がある。この情報は自動的にユーザ装置に出力する又は発行された指令に応じてユーザが取り出すことができる。
　【００３２】
　他の関連する実施形態においては、本発明のシステム及び方法は、その他のネットワーク加入者で構成される類縁グループを作成するために使用することができる。本装置自体は、ＣＭＲ　Ｓプロバイダネットワークの全体区域内にある物理的な位置閾値内での他の人達の存在を各自に知らせるために、一種の無線呼び出し装置として使用することができる。例えば、ユーザ１が、自分の類縁グループにユーザ２を加えている場合、ユーザ２がユーザ１の位置の予め特定した半径内の地理的区域に入ってくると、ユーザ１の装置は、ユーザ２の存在を知らせるメッセージを自動的に受信することができる。逆に、ユーザ２の装置に、ユーザ２がユーザ１に非常に近い位置にいることを知らせるメッセージを表示することができる。また、この類縁グループ機能によって、このグループ作成者及び、随意的に、グループメンバーは、グループの全メンバーに、単一のメッセージを残すことができ、これら全メンバーは、特定座標位置に関連させることもそうしないようにすることもできる。例えば、従業員のチームが、販売会議や見本市等のイベントのために都市に到着した際、空港又は空港の近くに到着した時点で、メンバー全員に残された一般的なメッセージに、メンバーの各々がアクセスすることができる。この情報は、メンバーの宿泊施設又は予定イベントの日程に関する情報とすることができる。また随意的に、本システムによって、各グループメンバーが、特定の座標位置に関係なく、単にグループを指定することによって、直ちに他のグループメンバーにほぼリアルタイムにメッセージを送信できるようにしてもよい。これは、ビジネス上の顧客に特に有益であると考えられる。ＸＹＺ社のような各顧客アカウントによって、各会社独自の類縁グループを管理し、発送されたメッセージ群を管理することができる。また、ワールドワイドウェブ（ＷＷＷ）インタフェースをＣＭＲ　Ｓプロバイダを持ち、人々が都市名、住所、又は空港等の位置を入力することができ、更に、ある位置にメッセージを残すためにその位置を実際に車で通過することなく、その位置にメッセージをタグ付けすることができるようにすることは有益であろう。例えば、ＷＷＷインタフェースにアクセスして、ロサンジェルス空港又はデンバーのどこかで、個人又は類縁グループに対してメッセージを残すように選択する。その場合、該個人又はグループのメンバーがその場所に到着すると、彼等の装置にメッセージが表示される。
　【００３３】
　他の実施形態において、本発明により、保守又は検査員が、変電所、セルラー塔等の一設備のような固定資産の現場に行き、その資産の現場に到着するとその資産に関する情報を受信することができるようにすることができる。このような情報には、補修記録、据付け日、配線略図のような技術情報、資産の補修又は検査を実行するための手順等が挙げられる。技術者は、特定の設備又は資産に関する送信情報を見たり参照したりすることができる一体型表示部を備えたインタフェース装置を携行又は装着する。これによって、技術者は、設備に関する情報を携行することなく、この情報にアクセスすることができる。更に、この場所から離れて次の場所に行く時に、自分の装置内の動的メモリを削除するだけで、次の設備に関する情報を受信するための余裕を持たせることができる。技術者によって行われた作業又は作成されたメモは、今後の参照用として利用できるように、履歴ログに追加して本システムにアップロードすることができる。この様にして、他の技術者が後日改めて現場に行った場合、設備の完全な履歴が用意されていることになる。例えば、前回の技術者が、特定部分が磨耗しているので、次回の検査／補修時に交換が必要といるというメモを作成した場合、今回の技術者は、現場に来る毎に最初から始めるのではなく、その箇所を点検するように注意を喚起される。これによって、効率が高められ、設備故障による休止時間が低減される。
　【００３４】
　他の実施形態において、本発明は、オリエンテーリング形式のゲーム行うために、更に軍事的な用途にも使用することができる。例えば、ある集団が、特定の経度及び緯度の座標位置を中心としたある区域に到着した際、その人達に対し、特定の命令又はメッセージを残すことができる。メッセージを残す者は、そのメッセージにアクセスするにはコードが必要か、又は、各自の装置の持つ一意の番号によって特徴付けられるリストされた人達が、そのメッセージにアクセスすることができるのかを指定することができる。前者の場合、その区域に入った人の装置にメッセージが表示され、その人に、実際にメッセージを受信するために自分のアクセスコードを入力することを要求する。軍事的用途において、本発明の本システムは、特定の座標位置において、ある部隊に対するアクセスが限定されたメッセージを残すか、文は、コースから外れた者がいた場合に警告を発するために使用することができる。
　【００３５】
　【発明の実施の形態】
　以下、図を具体的に参照し、本発明のシステム及び方法を説明する。図１は、本発明のシステム及び方法の全体の概要を示す。重要な構成品として、無線受信塔１００で構成される商業移動体無線ネットワーク、通信リンク１０６を介して電子的に通信するハードウェア主体のネットワーク切換え・データ管理サーバ１０３、通信リンク１０１を介して受信塔１００と無線で通信する複数のユーザ通信装置１０２、付加的に及び／又は代替的に、通信リンク１０７を介して電子的に通信する複数のユーザパーソナルコンピュータ装置１０５、及び前記コンピュータ装置１０５からの通信を受信し、メッセージや加入者情報をデータ管理サーバ１０３に経路付けするためのＨＴＴＰサーバ１０４がある。当業者であれば、加入者通信装置１０２には、移動用携帯電話、車載型電話、無線インターネット機器、携帯情報端末（ＰＤＡ）、通信用ハードウェアを備えた身体装着型又はその他の携帯型コンピュータ、又はその他の適切な通信手段が含まれ得ることは理解されよう。「通信手段ハードウェアを備えた」とは、通信装置が、前記コンピュータに埋め込まれている、取り付けられている、取り外し可能に取り付けられている、前記コンピュータと一体化されている、又は前記パーソナルコンピュータと通信していることを意味する。一実施形態においては、ユーザは、当技術分野で周知であり、Ｎｏｋｉａ社、Ｅｒｉｃｓｓｏｎ社、Ｍｏｌｏｒｏｌａ社、Ｐａｌｍ社、及び、Ｈａｎｄ　Ｓｐｒｉｎｇ社等の企業によって商業化に成功しているパーソナル通信装置１０２を、身に付けて携行する。これらの装置は、既存の最先端技術である無線通信装置のように機能するが、更に、本発明に述べられる機能性が付加されることになる。ユーザ装置１０２におけるハードウェア、又はＣＭＲ　Ｓネットワーク１００、１０１、１０６及び１０３におけるハードウェアのいずれかによって、ほぼリアルタイムに又はオンデマンドベースで、ユーザ装置１０２の位置が測定即ち三角測量される。これによって、ユーザは、自分の位置を記録し、特定の座標ウェイポイントを中心とした区域に置かれたメッセージにアクセスし記録することができる。
　【００３６】
　図２Ａ及び図２Ｂは、ユーザ通信装置１０９がユーザの自動車１０８に取り外し可能に又は永久的に取り付けられる代替実施形態を示す。本装置は、一体型表示画面１１１、ハウジング１０９、マイクロフォン１１０、スピーカ１１２、インタフェース制御ボタン１１３を備える。随意的に、表示画面１１１は、タッチスクリーン型の表示画面とされる。本装置は、一実施形態において行われる外部マイクロフォン１１０による音声指令に応答可能であることが好ましい。この形態では、ＣＭＲ　Ｓ加入者が自分の自動車１０８を運転中に、自分の自動車１０８が特定の座標ウェイポイントを中心とした区域に入る時にメッセージを受信することができる。また、加入者がそのポイントを通過中に、車載型通信装置１０９のボタンを押すことによって、又は、その位置を記録するための指令を発声することによって、座標ウェイポイントを記録することができる。この後に、加入者は、本装置自体１０９を通じて、ネットワークに接続したり、自分のコンピュータ１０５を使用してＨＴＴＰサーバ１０４と通信したりすることを含むいくつかの方法のいずれかによって、その位置と関連付けられるテキストによるメッセージ又は音声によるメッセージを残すことができる。
　【００３７】
　図３は、ネットワークを通じてユーザ装置１０２又は１０９の進行をモニターするネットワークの処理を示す。ボックス２００では、ユーザ装置１０２又は１０９からの無線標識信号がデータ管理サーバ１０３によって受信される。このような信号は当技術分野で周知であり、ネットワークが、ユーザが自分の装置を持ちネットワークの効力範囲内にあることを「知る」ことができ、更に、最も近い塔によって測定して概算の位置も「知る」ことができるように、移動用携帯電話、無線呼び出し装置、パーソナル通信装置に利用されている。この理由は、誰かが電話呼び出し又は無線呼び出し装置の呼び出しを受信すると、この呼び出しがネットワーク全体を通じて放送されるのではなく、加入者装置に近い塔に対してのみ、つまり、加入者装置と通信する塔に対してのみ放送されるからである。無線標識信号が受信されると、ボックス２０１で、その信号によって伝達される情報が取り出される。この情報には、ＩＤ（加入者装置番号又は電話番号）、加入者装置の位置、及び随意的に、メッセージに関する選好情報が含まれる。次に、ボックス２０２では、データ管理サーバ１０３にあるデータベースが、その位置においてその人がアクセスできるメッセージがあるかどうかを判定するために確認する。ボックス２０３では、決定点に到達する。照会基準を満足していない場合、即ち、メッセージが存在しない場合（その位置が正しくない又は選好がメッセージを受信することに同意していない、これら両条件が必要であり、両条件がなければ不十分である）、システムは、ボックス２０５で、始めの状態に戻り、次の無線標識信号を待つ。これらの信号は、それぞれ、特定の時間間隔で反復して送られる。この時間間隔は、数秒から数分までのいずれかとすることができるが、恐らく、ネットワーク又はユーザ装置によって実行される演算を低減するために数分レベルとされるであろう。その代わりに、この時間間隔は、要望通りの性能を発揮するようにユーザが設定することもできる。例として、ユーザが、会社、自宅等の特定地点にいる時、ある場所でのイベント等に参加している時には、電力を維持するためにこの機能をＯＦＦにすることが望ましいかもしれない。決定ボックス２０３で、メッセージを送る基準を満足すると判定された場合には、ボックス２０４で、メッセージは、特定のユーザ装置１０２又は１０９に送られる。次に、システムは、ボックス２０５で、次の時間間隔が経過して次の標識信号２００が受信されるまで待機状態に戻る。
　【００３８】
　図４は、ＣＭＲ　Ｓネットワークに周期的に送信されるユーザ装置が発信する無線標識信号の例示的な構成を示す。ボックス２０６はその信号を表す。無線標識信号は、識別番号（通常は、ユーザ装置の電話番号）、２次元空間（ユーザ装置が三角測量を実行する場合）におけるユーザ装置の位置、選好コード、及び類縁グループコード（その人がある類縁グループのメンバー又は類縁グループの所有者である場合）から構成される。選好コードは、Ｎビットのブール数字であり、各ビットは、メッセージを受信することについての選好をＯＮ又はＯＦＦする。この情報は、データ管理サーバ１０３に書き込まれて記憶される。類縁グループコードは、加入者即ちユーザが、特定の類縁グループのメンバー又は所有者であるかを表す先頭又は末尾の識別子ビットを持つグループ特定コードである。
　【００３９】
　図５は、例示的な選好コードビットテーブル２０７を示す。この表２０７では、選好コードは、０００００で表される「受信せず」という設定を含む６種類の一意内容の選好に対応できる５ビット長とされる。これら５ビットで作成することができる一意の組み合わせ即ち言語は２５あり、従って、０００００、００００１、０００１０、００１００、０１０００及び１００００の２６通りの組み合わせがある。しかしながら、通常の当業者であれば、受信されるメッセージの種類に応じて、これより多い又は少ないビット数が必要とされることは理解されよう。加えて、更に割振るためにビットを反転して、新しい機能やサービスがオンライン化され、できるだけ簡単且つ安価に既存プラットフォームに組み込むことができるようにすることは、プログラミング及び信号送信の分野では一般的な事項である。当業者であれば、本発明の思想又は範囲を逸脱することなく有効な機能をサポートするために必要なユーザ装置発信の無線標識信号がより多く必要とされる又はこれらより少なくてもよいことは理解されよう。
　【００４０】
　ネットワーク加入者のプライバシーに関しては、ユーザ装置を非受信モードにすれば、ユーザ装置の位置はネットワークによってモニターされることはない。更に、座標情報の直接的転送を防止する構想を利用することが望ましいかもしれない。これは、２つの個別データベースを維持することにより行うことができる。ユーザ装置又はネットワークがユーザの位置を演算する場合、最も近いグリッド（座標グリッド）番号が割り当てられる。各無線ネットワークは、グリッドに分割することができる。最も近い適当なアルゴリズムを使用して、実際の位置を受け取り、その位置を所定のグリッドポイントにマップすることができる。そのポイントの実際の位置は、それを見ても解読することはできない。利用可能なメッセージは、グリッド番号のみに関連付けられて記憶される。この方法では、グリッド番号が、位置ではなく、ユーザ装置が発信する無線標識信号によって発信される。本システムは、グリッド番号とメッセージとを照合するだけであり、本システムは、ユーザの位置を直接追跡するのではない。本システムは、位置と相関関係を持たせたコードに関係した内容を提供しているだけである。この実施は、すべての無線通信プラットフォームに拡大可能な位置識別の基準、即ちグリットポイント、を提供することにより促進することができる。しかしながら、その人が自分の電話を非受信モードにしていても、９１１に実際にダイヤルしている場合の例外処理ルーチンがある点に留意することが重要である。これによって、位置情報が、その呼び出しを受け取るＰＳＡＰに確実に送られることになる。
　【００４１】
　図６は、座標位置を記録して、メッセージを特定位置と関連付けることができるようにする処理を示す。ボックス２０８では、装置は通電状態にあり、ＣＭＲ　Ｓネットワークの有効範囲内に位置する。ある人が個人的なメッセージを残したいと思う特定位置に達すると、その瞬間に合わせて、物理的な位置を記録するために、ボックス２０９で、自分の通信装置１０２又は１０９のボタンを押す。その代わりに、これを、「位置を記録」という音声指令又は同じ結果をもたらすその他の構文によって行うことができる。この指令を実行することによって、ボックス２１０で、位置がネットワークに送られるか、或いは、位置確認がユーザ装置で実行されるかネットワークで実行されるかにもよるが、ネットワークはその位置を記録するよう要求される。次に、ボックス２１１で、その位置がユーザ装置のＩＤとともに記録され、その位置が参照できるように一意のメッセージコードが割り当てられる。次に、ボックス２１２で、このメッセージコードは、ユーザ装置に転送され、ボックス２１３で、メッセージコードを、後でアクセスすることができるように、又はメッセージを特定のメッセージと関連付けできるように、随意的なテキスト又は音声による識別子とともにユーザ装置に記憶する。コードがユーザ装置で受信されると、特定のコード及び位置と関連付けるメッセージを記録するいくつかの考え得る方法の１つが行われる。
　【００４２】
　図７では、メッセージコードは、装置２１４で受信され、少なくとも２つの考えられるシーケンスが作られる。第１のシーケンスにおいて、ユーザは、「メッセージ記録」ボタンを押す（ボックス２１５）。次に、ユーザが、ユーザ装置自体に発声する、或いは取り付けられた又は通信しているマイクロフォンに発声する（ボックス２１６）と、メッセージが、ユーザ装置のメモリの一部に記憶される（ボックス２１７）。マイクロフォンは、Ｅｒｉｃｓｓｏｎ社製などの無線ブルーツースマイクロフォンとすることができる。次に、ユーザが、「送信」ボタンを押すか、又は「送信」指令を発声すると、メッセージは、データ管理サーバ１０３に送られ、このメッセージは、メッセージコードに関連付けて、サーバ１０３のデータベースに記憶される。
　【００４３】
　その代わりに、ユーザは、「メッセージ記録」ボタンを押すか、又は「メッセージ記録」指令を発声し（ボックス２１９）、ユーザ装置に、ネットワークとライブの接続を確立させる（ボックス２２０）ことができる。次に、ユーザは、ユーザ装置に発声する、或いはユーザ装置に取り付けられた又はユーザ装置と通信するマイクロフォンにメッセージを発声する（ボックス２２１）。次に、ユーザは、メッセージをメッセージコードに関連付けて、サーバのデータベースに直接記憶させる（２２２）ボタンを押すか、又はそうする指令を発した後、サーバとのライブの接続を終了する。
　【００４４】
　本システムにテキストメッセージの入力を行うためのネットワークにメッセージを送る他の具体的方法がある。図８を参照されたい。ボックス２２３で、メッセージコードがユーザ装置で受信されるが、このメッセージコードは、ネットワークによって作られ転送されたものである。次に、ユーザは、ボックス２２４で、ユーザ装置と一体化したキーボードを使用して、ユーザ装置にメッセージを入力する。これは、大半の移動体電話装置に固有のキーボードとすることができ、又は、ユーザ装置と一体化したヒンジを中心してユーザ装置が開けられた時に現れるキーボードとすることができる。このようなキーボードの例は、Ｍｏｔｒｏｌａ社製等の無線呼び出し装置に固有のもの、特に、無線サービス及びページングプロバイダ数社によってサポートされるＴａｌｋａｂｏｕｔＴ９００双方向無線呼び出し装置である。この装置は、小型のキーボード及び表示画面が現れるように、長軸の１方に沿ってヒンジ開きされる。また、キーボードは、表示画面上に表示され、指で又はスタイラスペンによって駆動されるソフトキーボードとすることもできる。その代わりに、身体装着型コンピュータに取り付けられる小型キーボード等の個別のキーボードとすることも可能である。ボックス２２５で、ユーザは、「送信」キーを押すか、又は類似の指令を発し、ボックス２２６で、テキストメッセージ及びメッセージコードをデータ管理サーバに送る。次に、メッセージは、メッセージコード２２７に関連付けて、サーバのメモリ位置に記憶される。
　【００４５】
　他の代替実施形態において、ユーザは、自分のパーソナルコンピュータ１０５を使用して、位置特定のメッセージをデータ管理サーバ１０３にアップロードすることができる。図９を参照されたい。ボックス２２３で、メッセージコードがユーザ装置で受信される。ユーザは、「自宅までの道案内」等の該メッセージについてテキスト又は音声による識別子の入力を選択することができ、帰宅又は帰社してそのメッセージコードに関連付けられた実際のメッセージ本文を入力したい場合、ユーザは、そのメッセージコードが何のためのものかを知ることができる。
　【００４６】
　ボックス２２８では、ユーザは、自分のパーソナルコンピュータを使用して、ＷＷＷインタフェース及びＨＴＴＰサーバ１０４を使って一意のメッセージコードとともにテキスト又は音声によるメッセージを入力する。このインタフェースは、ユーザがメッセージに書き込み可能な、或いはメッセージを含むテキスト又は音声のファイルを添付可能な電子メール又は単にＷＷＷ形式のテンプレートとすることができ、次にこのメッセージは送信される。メッセージが送信又は電子メール経由で送られると、データベースで解釈され、特定のメッセージコードに関連付けて記憶される（ボックス２２７）。
　【００４７】
　本発明の他の有用な特徴は、ＣＭＲ　Ｓ加入者が本発明に使用される類縁グループを作成できることにある。類縁グループによって、特定顧客指定リストの他の加入者に対して、オンデマンドでメッセージを送ることができ、更に、類縁グループによって、グループメンバーは、他のメンバーがＣＭＲ　Ｓネットワーク内の近くにいることを知ることができる。即ち、作業者チームが国全体に又は中部大西洋地区等の特定区域に配置されて、特定のメンバーが他のメンバーの本拠地に入ってくると、各メンバーはお互いが近い距離にあることを知ることができる。即ち、グループメンバーは、他の街の他グル−プメンバーが自分の区域にいることが分かることになり、自分の無線装置を介して他のグループのメンバーと連絡を取ることができる。図１０を参照されたい。選択点２３０は、加入者が既存の類縁グループを更新するか又は新規の類縁グループを作成するかのいずれかを行うことができる状態が示されている。新規類縁グル−プの作成を選択した場合、加入者は、新規類縁グル−プに、「友達」のような特徴的な名称を付けて、彼等の名前に関連付けられた彼等の無線装置番号を入力することによって、そのグループのメンバーを定義する（ボックス２３１）。また、これは、加入者装置１０２のメモリから名前／番号の対を選択することによって行うことができる。ボックス２３２で、単に、類縁グループを更新する、即ち、メンバーを追加又は除外する、又はグループを削除する場合、メモリからグループを選択する。加入者装置は、オンデマンドで、加入者が所有する又は所属する全グループのリストを表示する。加入者は、彼が所有者となっているグループを選択する。次に、ボックス２３３で、メンバーを追加又は除外、又は全グループを消去する。自分が作成し今後所有するグループでない場合は、そのグループから自分だけを除外することができる。新たに作成するのか、あるいは、既存のグループに変更を行うのかを問わず、ボックス２３４で、加入者装置で指令を発することによって情報が保存される。次に、ボックス２３５で、変更内容がネットワークにアップロードされ、データベースに保存される。その代わりに、変更作業の全ては、ネットワークのライブセッションを行いながら加入装置を使用することによって、ネットワークにおいて直接行うこともできる。ＣＭＲ　Ｓ加入者のプライバシーを保護するために、加入者が類縁グループに追加された時には常に、ボックス２３６で、追加された人に、その類縁グループに含まれたこと、グループの作成者、及びグループから自分自身でリストから除外する機会が与えられていることを通知する電子メッセージがその人の装置に送られる。また、加入者は、デフォルトによって、如何なるグループに含まれることを拒否する権利を彼等のアカウントに選択肢として持つことができる。ある人が、このような加入者をグループに追加しようとしている場合には、その人は保安上の選好によりそのグループに追加することはできないという文言で始まるメッセージを上記加入者が受け取ることになる。このようにして、ＣＭＲ　Ｓ加入者のプライバシーは、類縁グループに関して保護される。
　【００４８】
　図１１は、類縁グループを更新／作成する代替実施形態を示す。ボックス２３８で、ユーザは、類縁グループを作成するか更新するかの選択点にある。その選択が１つの類縁グループを作成することである場合、ボックス２３９で、加入者は、自分のパーソナルコンピュータを使用して、ＷＷＷサーバインタフェースにログオンする。無線アカウント番号及びパスワードを使用すれば、「類縁グループの更新／作成」セクションにアクセスすることができる。「作成」を選んで（ボックス２４０）グループメンバーの番号及び名前を指定する。類縁グループを更新する場合には、サーバにログオンして「グループ更新」を選択する（ボックス２４３）。次に、有効なグループのリストから特定グループを選択した（ボックス２４４）後に、一人又は複数のメンバーを追加又は除外する（ボックス２４５）か、又はグループ全体を削除する。次に、いずれの場合でも、「変更内容保存」指令を発すれば、情報が保存され、変更内容が、データベースにアップロードされる（ボックス２４１）。次に、グループに加入されたこと及びこの加入を拒否する機会が与えられていることを通知するテキストメッセージが新メンバーに発送する（ボックス２４２）。
　【００４９】
　類縁グループの有用な特徴は、１つのメッセージをグループメンバー全員に同時に発送することができることにある。図１２を参照されたい。ユーザは、まず、ボックス２４６で、類縁グループを選択する。含まれるか又は所有される活動中の全グループのリストがユーザ装置内に維持されるか、又は定期的にネットワークによってユーザ装置にアップロードされる。次に、ユーザは、ボックス２４７で、メッセージを発声するか又はユーザ装置に書き込む。次に、ユーザは、「送信」ボタンを押す（ボックス２４８）又は指令を発して、メッセージを全グループメンバーと関連付けるようにすることができる類縁グループＩＤとともにメッセージをネットワークに送る（ボックス２４９）。次に、ボックス２５０で、グループＩＤがデータベースのＩＤと照合され記憶される。次に、メッセージ又はメッセージの通知は、グループの全員に送られ、グループ全員が直接又はオンデマンドでメッセージの内容を見たり聞いたりすることができる（ボックス２５１）。
　【００５０】
　他の代替実施形態において、加入者は、直接ネットワークに接続するか、又は、ＷＷＷインタフェースを使用することによって、類縁グループにメッセージを残すことができる。図１３を参照されたい。ボックス２５２で、ユーザは、自分の装置に記憶された類縁グループからある類縁グループを選択する。ネットワークとのライブセッションを起動させるボタンを押すか、又はその指令を発する（ボックス２５３）。この動作を行う際には、ユーザ装置のＩＤ及びグループＩＤがネットワークに送られる（ボックス２５４）。次に、ユーザのメッセージを発声すると、その人の音声メールメッセージを残すのと同様に、このメッセージは直接ネットワークによって記録される（ボックス２５５）。このメッセージは、特定座標位置と関連付けても付けなくてもよい。その代わりに、ユーザは、ＷＷＷサーバにログオンして、類縁グループにメッセージを残すことができる（ボックス２５６）。第１段階では、ユーザ装置番号及びパスコードでログインした後に、有効な類縁グループのリストからある類縁グループを選択しなければならない（ボックス２５７）。次に、ユーザは、ボックス２５８で、テキストメッセージを書き込む、又はオーディオファイルとして音声によるメッセージを添付する、又はその他の形式のファイル又はメッセージを添付する。最後に、「送信」ボタンを押してサーバにメッセージを送り、このメッセージをグループＩＤに関連付けて、データベースに保存する。ボックス２６０で、メッセージ又はメッセージの通知が類縁グループメンバー全員に送られる。
　【００５１】
　類縁グループの他の有用な特徴は、ＣＭＲ　Ｓネットワーク内の近い距離にあるメンバー同士で通知し合うことができる点にある。図１４は、流れ図の形で、類縁グループメンバーを追跡して、近接閾値を満足する時に各メンバーに通知するために本システムが行う各段階を示す。ボックス２６３で、ユーザ装置は、ネットワークにユーザ装置発信の標識信号とともにグループコードを送信する。本システムは、グループ番号及びその他の情報を使用して、グループファイル内に記憶された近接条件と照合する（ボックス２６４）。本システムは、ボックス２６５では、選択点にある。条件が満たされない場合、本システムは、ボックス２６３に戻り、次のユーザ装置からの入来信号を待つ。条件が満たされた場合、通知が、近接位置にいる当事者の各々に送られる（ボックス２６６）。
　【００５２】
　本発明の重要な要素は、三角測量又はその他の位置測定理論の使用である。ユーザ装置の位置を特定するこの機能は、本発明の機能性全般に対応するものである。ＧＰＳによる解決策がない場合には、この機能は、ネットワークのハードウェア又はユーザ装置自体のハードウェアよって実行することができる。いずれの手法においても、３つ又はそれ以上の同期信号の相対伝播時間、いくつかの信号の強度、各信号の着信角、及びこれらの組み合わせを使用して、ユーザ装置の正確な位置を求めることができる。図１５は、ネットワーク自体が、三角測量又は信号測定を実行して位置を求める場合のシステム概要を示す。本実施形態においては、ユーザ装置１０２は、ユーザ装置が発信する信号２０６とすることができる信号をネットワークに送る。この信号は、近くの複数の塔１００によって捕捉され、データ管理サーバ１０３に電子的に（１０６）送信される。次に、サーバは、この情報を使用して三角測量アルゴリズム又はその他の信号特性アルゴリズムを実行してユーザ装置の位置を求める。装置は、何ら演算する必要はない。しかしながら、本システムは、加入者全員について連続的にこれらの演算を行うことによって重い負担が課せられる。図１６は、流れ図の形でこの処理を示す。ボックス２６７で、ユーザ装置は、タイムスタンプを含め、ユーザ装置発信信号をネットワークに送る。この信号は、３つ又はそれ以上の塔によって受信される（ボックス２６８）。次に、各塔は、その情報及び信号が各塔で受信された時刻をデータ管理サーバに送る（ボックス２６９）。次に、サーバは、この情報の全てを入力として使用して、三角測量又はその他の信号特性アルゴリズムを実行して（ボックス２７０）、ネットワーク内のユーザ装置の特定座標位置を求める。この座標位置は、サーバ上のその特定のユーザ装置につての位置データベースに記憶される（ボックス２７１）。次に、本システムは、上記ユーザ装置からの次のユーザ装置発信信号を受信するまでＮ秒間待機する（ボックス２７２）。
　【００５３】
　図１７は、ユーザ装置自体が三角測量又は信号演算を実行する上記と同じシステムの概要を示す。ユーザ装置は、この装置性能から大きく低下することなくＮ秒毎にこの演算を実行する処理能力を備える必要がある。ＤＳＰチップを、このような演算能力を与えるためにユーザ装置に組み込むことができる。本実施形態においては、複数の無線トランシーバ塔１００は、受信と同時にそれら位置を含む信号１０１を送信する。これら信号は、無線トランシーバ塔の相対距離によって、異なる時刻にユーザ装置１０２によって受信される。また、各無線トランシーバ塔の距離及び位置に応じて信号強度及び着信角も異なる。次に、この情報は、受信信号に対する位置を演算するためにユーザ装置１０２に使用される。この処理の流れ図については、図１８を参照されたい。ボックス２７３で、塔は、時刻同期の位置信号を送る。各信号は、異なる時刻にユーザ装置で受信される（ボックス２７４）。ユーザ装置自体が、三角測量アルゴリズム又はその他の信号特性アルゴリズムを実行する（ボックス２７５）。この処理を通じて、ユーザ装置は、二次元座標空間における自らの位置を求めることができる（ボックス２７６）。次に、この位置情報は、ユーザ装置発信信号の一部としてネットワークに送られ（ボックス２７７）、その後、本システムは、次のユーザ装置発信信号が送られるまでＮ秒間待機する（ボックス２７８）。
　【００５４】
　本発明の根底にある原理を示すために、本発明の好適な実施形態及び最も好適な実施形態を本明細書で説明し添付図面に示したが、本発明の思想又は範囲から逸脱することなく多くの変形案及び派生案を考え得るのは理解される所であろう。
【図面の簡単な説明】
　【図１】
　本発明のシステム構成品の概要を示す図である。
　【図２】
　Ａ．
　本発明のシステムの自動車に適用した実施形態及びユーザ装置の図である。
　Ｂ．
　本発明のシステムの自動車に適用した実施形態及びユーザ装置の図である。
　【図３】
　本システムが加入者装置の位置をモニターして、メッセージを送るべきか否か判定する方法を示す流れ図である。
　【図４】
　例示的なユーザ装置発信無線標識信号及びそこに含まれる情報を分解した図である。
　【図５】
　例示的選好コードビットテーブルを示す図である。
　【図６】
　メッセージを位置と関連付けることができるように、座標ウェイポイントを記録し、そのウェイポイントに関連するメッセージコードを受信するシーケンスを示す流れ図である。
　【図７】
　ユーザ通信装置を使用して、ネットワークにメッセージコードと関連付けられたメッセージを送信する２つの代替経路を示す図である。
　【図８】
　ユーザ通信装置と一体化したキーボードを使用して、ネットワークにメッセージコードと関連付けられたメッセージを送信する代替方法を示す図である。
　【図９】
　ワールドワイドウェブインタフェース及びパーソナルコンピュータを使用して、ネットワークにメッセージコードと関連付けられたメッセージを入力する代替方法を示す図である。
　【図１０】
　類縁グループを更新し作成するための手順を示す図である。
　【図１１】
　更新又は作成し、その後に、グループのメンバー全員にメッセージを送るために類縁グループを使用する手順を示す図である。
　【図１２】
　ユーザ通信装置にメッセージを記録して、このメッセージを類縁グループのメンバーに送る手順を示す図である。
　【図１３】
　ＷＷＷインタフェースを介して、又は本装置を直接使用するかのいずれかによって、類縁グループメンバー全員にメッセージを残す手順を示す図である。
　【図１４】
　お互いの近距離内に入る類縁グループのメンバーに対する通知手順を示す図である。
　【図１５】
　ユーザ装置の位置探知がネットワーク自体によって実行される本発明の実施形態の概要を示す図である。
　【図１６】
　ユーザ装置の位置探知を実行する時に、本システム及びユーザによって行われる段階を示す流れ図である。
　【図１７】
　ユーザ装置の位置探索がユーザ装置自体によって実行される本発明の実施形態の概要を示す図である。
　【図１８】
　本装置自体が三角測量機能を実行する場合の、本システム及びユーザによって実行される段階を示す流れ図である。
　【符号の説明】
　１００　無線受信塔
　１０１、１０６、１０７　通信リンク
　１０３　データ管理サーバ
　１０４　ＨＴＴＰサーバ
　１０５　ユーザ装置